(57)【要約】【課題】  撮像部で撮影した画像データを編集中のアドレス帳データに直接関連付けさせること。【解決手段】  ＣＰＵ１２がアドレス帳データをメイン表示部２に表示し、ユーザがこのデータの中から任意のデータを選択した後、撮像部７１を起動して画像を撮ると、ＣＰＵ１２は撮影画像を前記選択したデータに関連付けて画像メモリ１９に登録することにより、撮影画像をアドレス帳の前記選択されたデータ対応で関連付けさせて登録することができる。【選択図】      図３
2008182764.tif 000002
【特許請求の範囲】
【請求項１】
通信に用いる連絡先を含むアドレス帳データを格納するアドレス帳格納手段と、
撮像手段と、
前記撮像手段の起動指示を検出する起動指示検出手段と、
この起動指示検出手段によって起動指示を検出すると、前記アドレス帳格納手段に格納させるアドレス帳データの作成、または、前記アドレス帳格納手段に格納されているアドレス帳データを編集するためのモード内での起動指示か否かを判断する第１の判断手段と、
この第１の判断手段によって前記モード内での起動指示である判断すると、前記撮像手段によって撮像された画像データのサムネイル画像データを生成する生成手段と、
この生成手段によって生成されたサムネイル画像データを前記アドレス帳データと関連付けして記憶する記憶手段と、
を備えたことを特徴とする撮像装置。
【請求項２】
前記撮像手段が撮像可能な撮影サイズを複数記憶する設定情報記憶手段と、
この設定情報記憶手段に複数記憶された撮影サイズから所定の撮影サイズの選択を検出する選択検出手段と、
この選択検出手段によって選択検出された撮影サイズが所定以上であるか否かを判断する第２の判断手段と、
を更に備え、
前記生成手段は、前記第２の判断手段により所定以上であると判断すると、前記撮像手段によって撮像された画像データのサムネイル画像データを生成することを特徴とする請求項１に記載の撮像装置。
【請求項３】
前記第１の判断手段によって前記モード内での起動指示である判断した場合、撮像指示を検出する撮像指示検出手段と、
この撮像指示検出手段によって撮像指示が検出されると、前記撮像手段によって撮像された画像データと、前記生成手段によって生成されたこの撮像された画像データサムネイル画像データとを含む画像ファイルを生成する画像ファイル生成手段と、
この画像ファイル生成手段によって生成された画像ファイルに含まれるサムネイル画像データを複製する複製手段と、
を更に備え、
前記記憶手段は、複製手段によって複製されたサムネイル画像データを前記アドレス帳データと関連付けして記憶することを特徴とする請求項１又は２に記載の撮像装置。
【請求項４】
前記第１の判断手段によって前記モード内での起動指示である判断した場合、撮像指示を検出する撮像指示検出手段と、
この撮像指示検出手段によって撮像指示が検出されると、前記撮像手段によって撮像された画像データと、前記生成手段によって生成されたこの撮像された画像データサムネイル画像データとを含む画像ファイルを生成する画像ファイル生成手段と、
を備え、
前記記憶手段は、前記画像ファイル生成手段によって生成された画像ファイルにおけるサムネイル画像データの記憶開始位置を前記アドレス帳データと関連付けして記憶することを特徴とする請求項１又は２に記載の撮像装置。
【請求項５】
撮像部に対する起動指示を検出する起動指示検出ステップと、
この起動指示検出ステップにて起動指示を検出すると、アドレス帳格納部に格納させる通信に用いる連絡先を含むアドレス帳データの作成、または、前記アドレス帳格納部に格納されているアドレス帳データを編集するためのモード内での起動指示か否かを判断する判断ステップと、
この判断ステップにて前記モード内での起動指示である判断すると、前記撮像部にて撮像された画像データのサムネイル画像データを生成する生成ステップと、
この生成ステップにて生成されたサムネイル画像データを前記アドレス帳データと関連付けして記憶部に記憶するよう制御する記憶制御ステップと、
を含むことを特徴とする画像データ記憶方法。
【請求項６】
撮像装置が有するコンピュータを、
撮像部に対する起動指示を検出する起動指示検出手段、
この起動指示検出手段によって起動指示を検出すると、アドレス帳格納部に格納させる通信に用いる連絡先を含むアドレス帳データの作成、または、前記アドレス帳格納部に格納されているアドレス帳データを編集するためのモード内での起動指示か否かを判断する判断手段、
この判断手段によって前記モード内での起動指示である判断すると、前記撮像部にて撮像された画像データのサムネイル画像データを生成する生成手段、
この生成手段によって生成されたサムネイル画像データを前記アドレス帳データと関連付けして記憶部に記憶するよう制御する記憶制御手段、
として機能させることを特徴とするプログラム。
【発明の詳細な説明】
【技術分野】
【０００１】
本発明は、例えば静止画の撮影機能等を用いて撮影した画像を電話番号等の連絡先情報と共に表示させる機能を有する撮像装置、画像データ記憶方法、及び、プログラムに関する。
【背景技術】
【０００２】
従来より携帯電話は、発信、或いは発信者番号表示サービスにより受信した電話番号を表示させる、所謂、アドレス帳機能、発信履歴表示機能、及び、着信履歴表示機能を備えている。アドレス帳機能においては、電話番号及びその電話番号と対応付けて記憶されている氏名等、この電話番号で特定される連絡先に関する情報を表示するものである。
【０００３】
一方、近年では、携帯電話に画像表示機能を備えさせることにより、アドレス帳を表示させる際に、対応する顔写真等の画像を表示するものもある（例えば、特許文献１）。
【０００４】
【特許文献１】特開２００１−２４７７６号公報（第５頁、図８）
【発明の開示】
【発明が解決しようとする課題】
【０００５】
上記のように従来の携帯電話端末は、撮影済みデータを、アドレス帳等に登録できるが、それらのデータ編集中から直接カメラを起動してその場で撮影し、そのまま編集中に戻ることは困難である。また、１枚しか撮影データを登録（リンク）できず、使い勝手が悪かった。更に、登録されるデータは１枚のみで、ある人物に対して関連したい画像を纏めたい場合にも纏められないといった不便さがあった。また、登録されたデータは、単にアドレス帳等のデータ閲覧時等に表示されるのみで、その画像を元に着信音を自動的に決定する或いは、関連する画像のピックアップ等といった、更なる有効活用がされていないといった問題があった。
【０００６】
そこで本発明は、上述の如き従来の課題を解決するためになされたもので、撮影した画像データを編集中のアドレス帳に容易に関連付けさせることができる撮像装置、画像データ記憶方法、及び、プログラムを提供することを目的とする。
【課題を解決するための手段】
【０００７】
上記目的達成のため、請求項１に記載の発明は、通信に用いる連絡先を含むアドレス帳データを格納するアドレス帳格納手段と、撮像手段と、前記撮像手段の起動指示を検出する起動指示検出手段と、この起動指示検出手段によって起動指示を検出すると、前記アドレス帳格納手段に格納させるアドレス帳データの作成、または、前記アドレス帳格納手段に格納されているアドレス帳データを編集するためのモード内での起動指示か否かを判断する第１の判断手段と、この第１の判断手段によって前記モード内での起動指示である判断すると、前記撮像手段によって撮像された画像データのサムネイル画像データを生成する生成手段と、この生成手段によって生成されたサムネイル画像データを前記アドレス帳データと関連付けして記憶する記憶手段と、を備えたことを特徴とする。
【０００８】
また、請求項２に記載の発明は、上記請求項１に記載の発明において、前記撮像手段が撮像可能な撮影サイズを複数記憶する設定情報記憶手段と、この設定情報記憶手段に複数記憶された撮影サイズから所定の撮影サイズの選択を検出する選択検出手段と、この選択検出手段によって選択検出された撮影サイズが所定以上であるか否かを判断する第２の判断手段と、を更に備え、前記生成手段は、前記第２の判断手段により所定以上であると判断すると、前記撮像手段によって撮像された画像データのサムネイル画像データを生成することを特徴とする。
【０００９】
また、請求項３に記載の発明は、上記請求項１又は２に記載の発明において、前記第１の判断手段によって前記モード内での起動指示である判断した場合、撮像指示を検出する撮像指示検出手段と、この撮像指示検出手段によって撮像指示が検出されると、前記撮像手段によって撮像された画像データと、前記生成手段によって生成されたこの撮像された画像データサムネイル画像データとを含む画像ファイルを生成する画像ファイル生成手段と、この画像ファイル生成手段によって生成された画像ファイルに含まれるサムネイル画像データを複製する複製手段と、を更に備え、前記記憶手段は、複製手段によって複製されたサムネイル画像データを前記アドレス帳データと関連付けして記憶することを特徴とする。
【００１０】
また、請求項４に記載の発明は、上記請求項１又は２に記載の発明において、前記第１の判断手段によって前記モード内での起動指示である判断した場合、撮像指示を検出する撮像指示検出手段と、この撮像指示検出手段によって撮像指示が検出されると、前記撮像手段によって撮像された画像データと、前記生成手段によって生成されたこの撮像された画像データサムネイル画像データとを含む画像ファイルを生成する画像ファイル生成手段と、を備え、前記記憶手段は、前記画像ファイル生成手段によって生成された画像ファイルにおけるサムネイル画像データの記憶開始位置を前記アドレス帳データと関連付けして記憶することを特徴とする。
【００１１】
上記目的達成のため、請求項５に記載の発明は、撮像部に対する起動指示を検出する起動指示検出ステップと、この起動指示検出ステップにて起動指示を検出すると、アドレス帳格納部に格納させる通信に用いる連絡先を含むアドレス帳データの作成、または、前記アドレス帳格納部に格納されているアドレス帳データを編集するためのモード内での起動指示か否かを判断する判断ステップと、この判断ステップにて前記モード内での起動指示である判断すると、前記撮像部にて撮像された画像データのサムネイル画像データを生成する生成ステップと、この生成ステップにて生成されたサムネイル画像データを前記アドレス帳データと関連付けして記憶部に記憶するよう制御する記憶制御ステップと、を含むことを特徴とする。
【００１２】
上記目的達成のため、請求項６に記載の発明は、撮像部に対する起動指示を検出する起動指示検出手段、この起動指示検出手段によって起動指示を検出すると、アドレス帳格納部に格納させる通信に用いる連絡先を含むアドレス帳データの作成、または、前記アドレス帳格納部に格納されているアドレス帳データを編集するためのモード内での起動指示か否かを判断する判断手段、この判断手段によって前記モード内での起動指示である判断すると、前記撮像部にて撮像された画像データのサムネイル画像データを生成する生成手段、この生成手段によって生成されたサムネイル画像データを前記アドレス帳データと関連付けして記憶部に記憶するよう制御する記憶制御手段、として機能させることを特徴とする。
【発明の効果】
【００１３】
本発明によれば、撮影サイズを気にすることなく、撮影した画像データを編集中のアドレス帳に容易に関連付けさせることができるという利点が得られる。
【発明を実施するための最良の形態】
【００１４】
以下、本発明の実施の形態を、図面を参照して説明する。
【００１５】
Ａ．第１実施形態
Ａ−１．第１実施形態の構成
図１（ａ）、（ｂ）は、携帯電話端末１００の外観図（開状態正面図、背面図）であり、図２（ａ）、（ｂ）は、メイン表示部２の表示レイアウトを示す図である。本実施の形態における携帯電話端末１００は、蓋部と本体部とからなる二つ折りの構造である。スピーカ１は音声通話の際に、通話相手の音声を出力するためのものである。メイン表示部２は蓋部に設けられており、カラー液晶で構成されている。このメイン表示部２は、携帯電話端末として使用した場合は、各種通信情報を表示する一方、デジタルカメラとして使用した場合は、ファインダーや撮像した画像データの編集内容を表示する。アンテナ３は本体部の背面に設けられており、伸縮自在となっている。操作部４は、本体部の前面に設けられており、各種機能キー（カメラキー４１、アドレス帳キー４２、十字キー４３、決定キー４４）、テンキー４５、クリアキー４６などからなる。カメラキー４１は後述するが、操作されることによりカメラ機能（撮像部７１、画像処理部１８）が起動する。
【００１６】
アドレス帳キー４２はアドレス帳モードを起動させる際に操作される。十字キー４３は、メイン表示部２に各種情報が表示された際、カーソル移動を指示するためのものであり、決定キー４４各種選択操作において決定を指示するためのものである。また、テンキー４５はダイアル番号を入力するためだけでなく、アドレス帳やメール作成等においては文字データを入力する際にも操作され、クリアキー４６は入力若しくは選択した内容を取り消す際に操作される。マイク５は音声通話の際に、ユーザの音声を入力するためのものである。サブ表示部６は、蓋部の背面に設けられ、閉状態においては状態表示や、着信時における発信者名をアドレス帳データ格納エリア１７２から読み出して表示する。ＬＥＤ８は着信検出時に発光するものであり、撮像レンズ７はカメラ機能を起動した際、この部分を介してイメージが撮り込まれる。報知スピーカ９は着信時に報知音（メロディ）を出力する。
【００１７】
図２（ａ）は撮像部７１を起動させた時のメイン表示部２の表示レイアウトを示すものであり、本第１の実施の形態においては、カメラモード（アドレス帳モードからカメラモードの起動を含む）を起動した際に、図に示すようなレイアウトで表示される。２０１は現在の通信環境状態を示すアイコンであり、カメラモードにおいても常時周辺の通信環境をサーチしその結果をバーの本数で表示する。２０２はバッテリーの残量をしめすアイコンであり、２０３は現在時刻表示部である。また、２０４はズームアップを明示するための矢印アイコンであり、ユーザによる十字キー４３の上方向の操作に応答して撮像部７１の電子ズームを拡大方向に制御し、その結果をモニタ表示領域２０６に反映させる。２０５はズームアップを明示するための矢印アイコンであり、ユーザによる十字キー４３の下方向の操作に応答して撮像部７１の電子ズームを縮小（ワイド）方向に制御し、その結果をモニタ表示領域２０６に反映させる。モニタ表示領域２０６はドライバ２１の制御を受け、撮影モードに応じた解像度で撮像部７１にて撮像された画像をリアルタイムでモニター表示させる他、撮影保存後の画像編集作業時においても、対応する解像度で表示する。２０７はファンクション表示エリアであり、この２０７に明示された機能をユーザが実行させる場合、操作部４のカメラキー４１の操作を促すものである。２０８はファンクション表示エリアであり、この２０８に明示された機能をユーザが実行させる場合、操作部４の決定キー４４の操作を促すものである。２０９はファンクション表示エリアであり、この２０９に明示された機能をユーザが実行させる場合、操作部４のアドレス帳キー４２の操作を促すものである。
【００１８】
図２（ｂ）はユーザによりアドレス帳モードや、発信・着信履歴、その他、ＲＡＭ１７に格納されている各種データのリスト表示が指示された場合の表示レイアウトを示すものである。２１０は後述する２１２、２１３、及び、２１４の各タブの切り替えを明示するための矢印アイコンであり、ユーザによる十字キー４３の左方向の操作に応答してタブ２１２、２１３、２１４を切り替える。２１１は後述する２１２、２１３、及び、２１４の各タブの切り替えを明示するための矢印アイコンであり、ユーザによる十字キー４３の右方向の操作に応答してタブ２１２、２１３、２１４を切り替える。タブ２１２、２１３、２１４は、主にリスト表示における詳細な表示内容を設定、明示するために設けられるものであり、アドレス帳のカテゴリに応じて分けられたり、同一のレコードあっても表示する内容に応じて分けられたりする。２１５、２１６、及び、２１７は一組のレコードとして関連付けられた各種情報を表示するデータ表示領域であり、１ページについて２１５、２１６、２１７の３組が一度に表示される。またこれらの表示領域には上記カメラモードにて撮影された画像が表示される領域も設けられている。尚、図３（ｄ）において、アイコン２０４、２０５は、ユーザによる十字キー４３の上下方向の操作を明示するものであり、この上下方向の操作を検出して、リスト表示におけるカレントデータをフォーカスを当てる、若しくは反転表示する等で差別化表示する。
【００１９】
尚、本実施の形態において、メイン表示部２の表示例を参照しながら、ユーザが「選択する。」、「指示する。」、及び、「サブメニューを開く。」等説明する場合、詳細には、ファンクション表示エリア２０７、２０８、及び、２０９に表示される内容に沿って、カメラキー４１、決定キー４４、及び、アドレス帳キー４２の操作を行うことを意味する。
【００２０】
図３は、本発明の第１の実施の形態に係る携帯電話端末１００の構成例を示したブロック図である。携帯電話端末１００は、無線処理部１０は、ＣＰＵ１２の制御信号に従ってアンテナ３より無線信号を送受信し、ＣＤＭＡ方式による一次変調／一次復調処理を行う。復調・変調部１１は、ＣＰＵ１２の制御信号に従ってバスＢを介して入力されたＣＥＬＰ方式によりデジタル処理された音声データ、その他のテキストデータ画像データをＱＰＳＫ方式で変調して無線処理部１０に出力する一方、無線処理部１０より入力されたデータを復調して、バスＢに出力する。ＣＰＵは、個別の制御及び全体の制御を行う。メイン表示部２、サブ表示部はそれぞれＣＰＵ１２の制御よってドライバ２１、ドライバ６１を介して各種データを表示する。
【００２１】
報知処理部１３はＣＰＵ１２の制御によりドライバ１４をコントロールし、ドライバ１４は上述のＬＥＤ８、報知スピーカ９、内蔵するバイブレータ２０を駆動させる。操作部４は、文字、電話番号の入力やその他スクロールや選択肢の選択等、各種指示やデータを出力する。音声処理部１５は、マイク５を介して入力された音声をＣＥＬＰ符号化して出力する一方、バスＢより入力したＣＬＥＰ符号を音声信号に変換してスピーカ１より出力する。ＲＯＭ１６は本携帯電話端末１００の端末ＩＤや電話番号、ユーザプロファイルデータや、本発明を達成するためのプログラム（アドレス帳データ閲覧・作成・編集プログラム）を含む、ＣＰＵ１が動作する為のプログラムや背景やスタンプ等の画像データを格納する。ＲＡＭ１７はＣＰＵ１が動作するためのデータを保持するワーク領域として使用する他、後述のアドレス帳データやリンク情報を格納するエリアを備えている。撮像部７１はＣＭＯＳ、もしくはＣＣＤからなるイメージキャプチャーデバイスとＤＳＰ等を含み撮像レンズ７を介して結像されたイメージをデジタル処理する。画像処理部１８は撮像部７１で撮像された画像を符号化・圧縮処理したり、特に第３の実施の形態における合成処理を行うためのプロセッサを備える。画像メモリ１９は、撮像部７１で撮影したり、受信した画像データを格納する。
【００２２】
図４は図３に示したＲＡＭ１７の構成例を示した模式図である。ＲＡＭ１７にはＣＰＵ１２のワークエリア１７１の他に、連絡先電話番号を含むアドレス帳データ格納エリア１７２、リンク情報格納エリア１７３が設定されている。
【００２３】
図５は図３に示した画像メモリ１９の構成例を示した模式図である。格納される画像データのレコードＮｏ、ファイル名、フォルダ属性、…、画像データのリンクの有無を示すフラグを格納する領域があり、フラグ領域にフラグ“１”が格納されているとリンク有りを示すものとする。
【００２４】
Ａ−２．第１実施形態の動作
次に、本第１実施形態の動作について図６のフローチャートを参照して説明する。ＣＰＵ１２はステップＳ１で、着信待ち受け状態の時にアドレス帳キー４２の操作検出によりアドレス帳モードの起動指示を検出すると、ステップＳ２で、ＲＯＭ１６よりアドレス帳閲覧・作成・編集プログラムを起動して図７（ａ）に示すようなアドレス帳データ新規作成又は、既存データの編集画面をメイン表示部２に表示する。
【００２５】
このアドレス帳データ編集画面の「００１の田中麗さんのアドレスデータ」が反転表示されて編集対象に選択されている時に、ユーザによるアドレス帳キー４２操作検出により図７（ｂ）に示すようなサブメニューをメイン表示部２に表示し、「カメラの起動」を選択するか又は、カメラキー４１が押下されたか否か（カメラの起動か否か）を判断する。
【００２６】
ＣＰＵ１２はステップＳ３で、カメラの起動かどうか判断し、そうでない場合はステップＳ１４に進み、カメラの起動である場合はステップＳ４に進む。ステップＳ４では、撮像部７１を起動し、ドライバ２１に対し、撮像部７１より得られた画像を表示させるため、対応する解像度の表示をモニタ表示領域２０６に設定し、画像を逐次表示する。次にＣＰＵ１２はステップＳ５で連続撮影モードが設定されたかどうかを判断し、設定された場合はステップＳ９に進み、設定されない場合はステップＳ６に進む。
【００２７】
その後、ＣＰＵ１２はステップＳ６で、決定キー４４の操作を検出して撮影画像を確定した場合、ステップＳ７でこの表示画像の画像データを画像処理部１８にて符号化圧縮処理し、画像メモリ１９に格納することにより、図７（ｆ）に示すような撮影画像を確定することができる。
【００２８】
次にユーザがこの確定画像を００１の田中麗さんのアドレス帳のエリアに関連付け登録する指示を決定キー４４の操作により行うと、ＣＰＵ１２はステップＳ８で、図８に示したアドレス帳データ格納エリア１７２の００１の田中麗さんのアドレスデータエリアに画像表示のリンク“１”を立て、更に図９に示したリンク情報格納エリア１７３に、アドレス帳データ格納エリア１７２の００１に対応させて、上記画像データが格納されている画像メモリ１０のレコード番号００１を登録すると共に、この画像データに基づく画像を図２（ａ）の表示レイアウトに合わせて一時的に解像度を落として縮小し、メイン表示部２の編集画面に図７（ｇ）に示すようにを表示する。ＣＰＵ１はステップＳ１３で、アドレス帳モードによる編集処理が終了したと判断するまで、ステップＳ３の処理に戻る。
【００２９】
従って、この状態から通常のアドレス帳閲覧状態に戻すと、田中麗さんのアドレスデータと共に田中麗さんの画像が図７（ｈ）に示すように表示され、アドレス帳データに田中麗さんの画像データが関連付けられ、登録されたことを確認することができる。
【００３０】
ところで、確定前の撮影画像を図１０（ａ）に示すようにメイン表示部２に表示した際に、ユーザは図１０（ｂ）に示すようなサブメニューを開いて連続撮影設定を選択すると共に、更に図１０（ｆ）で示すように連続撮影設定の中で「早い／中くらい／遅い」により連写速度を選択して連写モードに移行すれば、ＣＰＵ１２はステップＳ５からステップＳ９に進んで、連写速度を設定し、ステップＳ１０で図１０（ｃ）で示すような画像データを複数枚連写（複数枚をある一定時間内で撮影）して、ステップＳ１１で得られた連続撮影画像データを図１０（ｄ）で示すように一括表示する。
【００３１】
それを見て、ユーザがアドレス帳に連続撮影画像を登録することを確定すると、ＣＰＵ１はステップＳ１２で、連写した複数枚の画像データのメモリ１９の格納場所にフラグ“１”を立てると共に、リンク情報格納エリア１７３に複数枚の画像のリンク情報を書き込む。
【００３２】
その際、ＣＰＵ１２は、図８に示したアドレス帳の００１の田中麗さんのアドレスデータエリアに画像表示のリンク“１”を立て、更に図９に示したリンク情報格納エリア１７３のアドレス帳のデータ格納エリアの００１に、上記登録した複数の連続画像が格納されている画像メモリ１０の複数のレコード番号を登録すると共に、１枚目の画像データに基づく画像をメイン表示部２の編集画面に図１０（ｄ）に示すようにを表示する。
【００３３】
従って、この状態から通常のアドレス帳データの表示に戻すと、田中麗さんのアドレスデータと共に田中麗さんの連続撮影画像のうちの１枚目の画像が図１０（ｅ）に示すようにメイン表示部２に表示され、アドレス帳データに田中麗さんの画像データが関連付けられ、登録されたことを確認することができる。
【００３４】
本第１実施形態によれば、アドレス帳データに画像データを関連付け登録する際に、アドレス帳データの編集中にカメラを起動させて撮影画像を得、この撮影画像を編集中のアドレス帳に関連付け登録することができ、アドレス帳の使い勝手を向上させることができる。また、アドレス帳のデータ編集中に撮影モードを連写設定にして、連続撮影した複数枚の画像を編集中のアドレス帳に直接一括して登録することができ、登録作業を簡単化することができる。
【００３５】
尚、上記した図１０（ｆ）で示した連写速度の設定で、マニュアルを選択した場合は図１０（ｇ）に示すような画像をマニュアル操作で連続撮影することができる。また、通常のカメラ起動と同様に、撮影直後（撮影中も同様）にメニューより特殊効果を選択し、撮影画像にモノトーン、セピア、スタンプ貼り付け等の効果をかけることができる。また、アドレス帳にリンクを張る前に所望の画像加工をその場で行い、例えば図１１（ａ）で示した加工画像を、編集中のアドレス帳データに上記と同様の動作により直ちに関連付け登録するようにすることもできる。アドレス帳には図１１（ｂ）に示すような合成画像が関連付けられ、登録される。
【００３６】
また、通常のカメラ起動と同様に、撮影中は合成撮影が可能であり、１枚目を撮影し、更にその１枚目に並ベる形で２枚目を撮影して、図１２（ａ）に示すように、１枚の撮影画像として合成して確定し、その後、直ちに編集中のアドレス帳データに上記と同様の動作により関連付けて登録することもできる。アドレス帳には、図１２（ｂ）に示すような合成画像が表示される。
【００３７】
更に、カメラを起動して被写体を撮影した直後の図１３（ａ）に示すようなプレビュー画面で、アドレス帳データ内に表示される大きさと同等のワク１１１を表示して位置を指定することで、図１３（ｂ），（ｃ）に示すようにトリミングした画像を上記と同様の動作によりアドレス帳データ内に関連付けて登録することもできる。
【００３８】
また、上記実施の形態の動作により画像データが関連付け登録されたアドレス帳等のデータを閲覧する場合においても、アドレス帳データ（レコード）に合わせて解像度を落としたり、データサイズを縮小させることを行っていないので、十字キー４３等により、画像メモリ１９にリンクされている図１４（ａ）に示すような元の解像度の画像をその場で拡大／縮小することもできる。したがってデータ登録後（確定して保存後）も、表示させたい箇所を簡単に調整することも可能である。
【００３９】
更に、画像データを関連付けて登録した後も、拡大／縮小のみならず、十字キー４３により表示位置を上下左右にずらすことで、より自由度のある位置合わせ等を簡単に行うようにすることもできる。例えば、図１４（ｂ），（ｃ）は、アドレス帳データを閲覧中において、所定のキー操作によって、リンクされている画像メモリ１１９の画像の拡大／縮小を行なった後、再度アドレス帳データに戻した場合、図１４（ｄ），（ｅ）に示すようになる。尚、図１４（ｄ），（ｅ）の状態から図１４（ｂ），（ｃ）の状態にすることもできる。
【００４０】
Ｂ．第２実施形態
次に、本発明の第２実施形態について説明する。図１５は、本発明の第２の実施の形態に係る携帯電話端末のアドレス帳モードにおける閲覧動作を示したフローチャートである。但し、本例の構成は上記した第１の実施の形態と同様であるため、以下同一の構成を持つ各部については、その構成動作の説明を省略し、以下、その動作の特徴部分を説明する。
【００４１】
本実施の形態では、アドレス帳のアドレスデータに連写等により複数の画像が登録されている場合に、このアドレス帳に関連付け登録してある複数の画像データを閲覧する際に、ユーザがアニメーション表示設定を行なった場合の表示動作について説明する。但し、アニメーション表示とは、１枚１枚の画像を例えば２秒毎に切り替えて表示を行うことを指す。
【００４２】
ＣＰＵ１２はステップＳ２１で、アニメーション表示が設定されたかどうかを判断する。そして、アニメーション表示が設定されない場合には、ステップＳ２５の他の表示処理へ進む。一方、アニメーション表示が設定された場合にはステップＳ２２へ進む。
【００４３】
ステップＳ２２では、アドレス帳を表示させるモードにおいて現在着目しているアドレス帳データに複数枚の画像データが関連付けられて登録されているかどうかを判断する。そして、複数枚の画像データが登録されてない場合にはステップＳ２４でエラー表示をして処理を終了する。一方、複数枚の画像データが登録されている場合にはステップＳ２３に進む。
【００４４】
ＣＰＵ１２はステップＳ２３で、リンク情報格納エリア１７３により前記着目しているアドレスデータに登録されている複数枚の画像データの画像メモリ１９のレコード番号を一旦読み出してワークエリア１７１に格納した後、これらレコード番号に基づいて画像メモリ１９から図１６に示すような該当の複数枚の画像データを順番に読み出し、図１７（ａ），（ｂ），（ｃ）に示すように、メイン表示部２の画像表示部分に所定時間ずつ１枚１枚表示する。
【００４５】
本第２実施形態によれば、アドレス帳に関連付け登録された複数枚の画像データをアニメーション表示で閲覧することができるため、どんな画像データが関連付け登録されているのかを直ぐに知ることができると共に、アニメーション表示による見た目の面白さを演出することができる。
【００４６】
尚、上記第２実施形態では、アドレス帳に関連付け登録された複数枚の画像データをアニメーション表示で閲覧したが、図１８（ａ），（ｂ），（ｃ）に示すようにメイン表示部２のアドレス帳データの画像表示部分に所定時間ずつ１枚１枚、左右にスライド表示しても、同様の効果を得ることができる。
【００４７】
Ｃ．第３実施形態
図１９は、本発明の第３実施形態に係る携帯電話端末の構成例を示したブロック図である。但し、図１に示した第１の実施の形態と同様の部分には同一符号を付し、適宜その説明を省略する。
【００４８】
携帯電話端末１００は、アンテナ３、無線処理部１０、復調・変調部１１、ＣＰＵ１２、ドライバ２１、６１、１４、メイン表示部２、サブ表示部６、報知処理部１３、ＬＥＤ８、バイブレータ２０、報知スピーカ９、音声処理部１５、マイク５、スピーカ１、ＲＯＭ１６、ＲＡＭ１７、撮像レンズ７、撮像部７１、画像処理部１８、画像メモリ１９、操作部４の他に、画像データの中から人物部分のみを抽出する画像認識部２２を有している。
【００４９】
次に、携帯電話端末１００のアドレス帳データの閲覧動作における画像データの編集について図２０に示したフローチャートを参照して説明する。該閲覧動作における画像データの編集では、アドレス帳データ等に既に関連付けて登録してある画像データから人物像部分を抜き出し、これに選択した背景を合成して所望の画像データを作成し、これをアドレス帳データに再び関連付けて登録する。
【００５０】
まず、ユーザがアドレス帳データ閲覧・作成・編集モードを起動すると、ＣＰＵ１２はステップＳ３１で、アドレス帳データ閲覧・作成・編集プログラムを起動して図２１（ａ）に示すようにメイン表示部２に表示する。この表示画面からユーザが操作部４を操作してアドレス帳の画像編集を選択し、更に人物部分の抜き出し処理を選択するとこれらの操作をＣＰＵ１２が判断し、以下の処理を行う。
【００５１】
すなわちＣＰＵ１２はこれを受けてステップＳ３２で、アドレス帳の画像編集かどうかを判断する。そして、アドレス帳の画像編集でない場合には、ステップＳ３７の他の編集処理に進み、アドレス帳の画像編集である場合にはステップＳ３３へ進む。
【００５２】
ステップＳ３３では、人物部分の抜き出し処理であるかどうかを判断する。そして、人物部分の抜き出し処理である場合にはステップＳ３４に進み、図２１（ｂ）に示すような画像データから人物部分を画像認識部２２により認識して抜き出し、図２１（ｃ）に示すようにメイン表示部２に表示する。
【００５３】
ここで、画像認識部２２は、人の顔パターンを複数もち、色、色の塊の位置関係により人の顔を認識すると同時に、それに繋がる色情報の連続性より、服までも認識し、結果として体部分を含む人物のみの認識を行い、その部分だけを抜き出す動作を行う。
【００５４】
一方、ユーザは図２１（ｄ）に示すようなサブメニューをメイン表示部２に開いて、図２１（ｃ）に示した画像データの背景を作成すべく、項目「背景」を選択すると、図２１（ｅ）に示したような各種の背景パターンと背景色が表示されるため、この中から所望の背景パターンや背景色を選択する。
【００５５】
この選択は、画像認識部２２により認識させた人物データに対し、その人物の周りの透明の部分に色パターンや模様を被せる（＝背景として重ね合わせる）事で、より好みの画像を作成することを意図して行われ、ここでは背景色として例えば白を選択したものとする。
【００５６】
これを受けてＣＰＵ１２はステップＳ３５で上記したユーザの選択処理に従って、例えば白色の背景を作成し、これをステップＳ３６で図２１（ｃ）に示した画像データに合成し、その結果作成された合成画像を図２１（ｆ）に示すようにアドレス帳の画像表示部分に表示する。
【００５７】
本第３実施形態によれば、アドレス帳等に登録された画像データの中から人物部分のみを認識し、この人物のみの画像データのその他の部分に色付けしたりパターンを合成することにより、画像データの背景を所望の形に加工することができ、アドレス帳データ等に関連付け登録された画像データの演出を簡単に行うことができる。
【００５８】
ところで、アドレス帳データは、通常登録された電話番号データやＥメールアドレスデータがあり、その電話番号、Ｅメールアドレス等から着信／受信があった場合、専用のメロディが鳴音するような設定が可能となっているが、一々設定するのは中々手間の要る作業となる。
【００５９】
そこで、上記第３実施形態の画像認識部２２により、アドレス帳データに関連付け登録されている画像データの色情報を認識し、この色情報を元に、携帯電話内のメロディデータを自動選択する機能を設けることができる。
【００６０】
具体的には、ＲＯＭ１６内に保持する携帯内メロディデータに対し、予め１，２，３，…，等の番号付けを行う。「１」は、例えば画像データ中の赤色情報が９０％以上、「２」は赤色情報の平均が９０〜８０％といった具合である。この関連付けテーブルをＲＡＭ１７のテーブル部に保持しておく。その後、画像認識部２２で検索された登録画像の色情報から赤色の占める割合をドット数で割ることで平均化して前記テーブル部を参照することで、着信音を自動的に設定することができる。尚、色情報は例であり、輝度等を用いても同様の事が可能となる。
【００６１】
これにより、アドレス帳データに登録された画像データについて、色情報又は輝度情報を元に自動的に着信音を設定することで、わざわざ着信音を選択しなくてもよく、また、着信音を付け忘れた場合等において自動的に着信音を付加することができる。また、本第３の実施の形態では報知スピーカ９より出力される報知音の自動選択について述べたが、ＬＥＤ８の着信検出時の発光色や点滅、点灯パターン、バイブレータ２０の振動パターンであってもよい。
【００６２】
Ｄ．第４実施形態
次に、本発明の第４実施形態について説明する。図２２は、本発明の第４の実施の形態に係る携帯電話端末の画像認識部の保持内容を示す概念図である。但し、本例の全体構成は上記した第３の実施の形態と同様であるため、以下同一の構成を持つ各部については、その構成動作の説明を省略し、以下、その動作の特徴部分を説明する。
【００６３】
画像認識部２２は、人物の顔の部分について立体イメージの座標データを複数保持する。この座標データは、輸郭のみならず目、鼻、口等、顔の特徴となる座標をも併せ持ち、且つ、全方向（上下左右３６０度方向）からみた場合の必要最低限の座標データのデータベースも併せ持つものである。
【００６４】
次に、本第４実施形態の動作について図２３のフローチャートを参照して説明する。ＣＰＵ１２はステップＳ４１にて、ＲＯＭ１６からアドレス帳データ閲覧・作成・編集プログラムを読み出して起動し図２４（ａ）に示すようにメイン表示部２に表示する。次に、ＣＰＵ１２はステップＳ４２で、画像編集かどうかを判断する。そして、画像編集でない場合にはステップＳ４８の他の編集処理に進み、画像編集である場合にはステップＳ４３へ進む。
【００６５】
ステップＳ４３では人物部分の抜き出し処理であるかどうかを判断する。そして、人物部分の抜き出し処理でない場合はステップＳ４８に進む。一方、ステップＳ４３で人物部分の抜き出し処理であると判断された場合には、ステップＳ４４で対象の図２４（ａ）に示すようなアドレス帳に登録してある画像が格納されている画像メモリ１９から元の画像データを読み出し、この画像データから人物部分を画像認識部２２により認識して抜き出してメイン表示部２に表示する。ここまでは図１８で示した第３の実施の形態と同様である。
【００６６】
ここで、ユーザは操作部４を操作して図２４（ｂ）に示すようなサブメニューをメイン表示部２に開き、例えばアルバムの項目を選択する。これはアドレス帳データに登録してある画像データと同一人物が写っている画像データを画像メモリ１９から検索し、検索された人物が写った画像データをアルバム形式に配列して表示せよという指示であり、この指示がＣＰＵ１２に入力される。
【００６７】
これを受けたＣＰＵ１はステップＳ４５で、同一人物の検索が選択されたかどうかを判断し、選択されない場合はステップＳ４８に進み、選択された場合はステップＳ４６に進む。ステップＳ４６にて、ＣＰＵ１２は画像認識部２２により画像メモリ１９内の画像データでアドレス帳データに登録してある画像と同一人物が写っている画像データを検索する。
【００６８】
この際、画像認識部２２は対象の人物の輸郭、目、口、鼻等の位置関係から保持する図２２に示したような立体イメージより、もっとも近い座標データを割り出すと共に、同様の事を画像メモリ１９内に保持する画像データに対して全て行い、各々の画像データに最も近い座標データを割り出す。
【００６９】
これにより、仮にアドレス帳データ等に画像データが１枚でも登録されていれば、それらに近い座標データを割り出し、それらと画像メモリ１９内の画像データに対する各々の座標データを参照することで、画像メモリ１９内から同一人物のみが写った画像を抽出することが可能となり、簡単に関連する画像を検索することができる。
【００７０】
ＣＰＵ１２はステップＳ４７で、検索した同一人物のみが写った画像を図２４（ｃ）に示すようにアルバム形式に配列してメイン表示部２に表示する。
【００７１】
本第４実施形態によれば、アドレス帳に登録してある画像と同一人物の画像を画像メモリ１９内から検索することができ、検索した複数の画像をアルバム形式で表示することもでき、同一人物の画像を簡単に検索して閲覧することができる。
【００７２】
従って、アドレス帳に登録してある画像と同一人物の画像を検索して、その中で気に入った画像を元々登録してある画像と交換でアドレス帳に登録することなどが容易にでき、アドレス帳の画像編集の効率を高めることができる。
【００７３】
Ｅ．第５実施形態
次に、本発明の第５実施形態について説明する。本第５実施形態では、メガピクセル対応のカメラ付携帯電話において、通常のカメラモードでは、全ての撮影サイズに対応するよう、サブメニューで撮影サイズを選択可能とし、一方、アドレス帳からのカメラモード起動では、携帯電話の通常表示サイズ用及び携帯電話の全画面表示サイズ用しか選択できないようにしたことを特徴としている。
【００７４】
ここで、図２５は、本第５実施形態において、ＲＯＭ１６に格納される通常のカメラモードとアドレス帳からのカメラモードでの選択可能な撮影サイズの違いを示すテーブルを示すものである。図において、斜線部分は、アドレス帳からカメラモードを起動した場合には、選択不可となる撮影サイズ（または機能）である。これは、アドレス帳への画像登録が、壁紙サイズまでとなっているので、それ以上の撮影サイズで撮影した場合には、リサイズやトリミングなどの画像編集が必要となるためである。該画像編集を手動または自動で行うようにしてもよいが、既存のハードウェアで容易に実現するためには、あるいはユーザの操作負担を軽減するためには、画像編集を行わずに画像登録可能な撮影サイズで撮影することが望ましい。このため、アドレス帳への画像登録が可能な撮影サイズ以上での撮影を制限している。
【００７５】
図示の例では、アドレス帳からカメラモードが起動された場合には、携帯電話の通常表示サイズ用（１２０×１６０ドット）、及び携帯電話の全画面表示サイズ用（２４０×３２０ドット）が選択可能となっており、通常のカメラモードで選択可能な撮影サイズは、携帯電話の通常表示サイズ用（１２０×１６０ドット）〜ＵＸＧＡ（１６００×１２００ドット）が選択可能となっている。
【００７６】
上述した図２５に示す選択可能な撮影サイズ（機能を含む）の一覧は、カメラ制御処理テーブルとして、例えば図１に示すＲＯＭ１６やＲＡＭ１７に保存されている。
【００７７】
次に、上述した第５実施形態によるカメラ付携帯電話の動作について説明する。図２６は、本第５実施形態によるカメラ付携帯電話の動作を説明するためのフローチャートである。また、図２７は、本第５実施形態のカメラモードでのサブメニューの表示例を示す模式図である。ＣＰＵ１２は、ステップＳ５０で、カメラモードが起動されたか否かを判断し、カメラモードの起動でない場合にはステップＳ６５の他の処理に進み、一方、カメラモードの起動である場合にはステップＳ５１に進む。
【００７８】
ステップＳ５１では、カメラモードがアドレス帳からの起動である否かを判断し、アドレス帳からの起動でない場合（例えば待ち受け画面から起動された場合）には、ステップＳ６６へ進み、通常のカメラモードを実行する。該通常のカメラモードでは、前述した図２５に示す全ての撮影サイズ、機能が選択可能となっている。
【００７９】
一方、アドレス帳からカメラモードが起動された場合には、ステップＳ５２へ進み、撮影項目の選択が指示されたか否かを判断し、撮影項目の選択が指示されない場合には、現在設定されている撮影モード（撮影サイズや機能）で撮影すべく、後述するステップＳ６０へ進む。
【００８０】
一方、撮影項目の選択が指示された場合には、ステップＳ５３へ進み、図２５に示すような、選択可能な撮影項目が明示されたカメラ制御処理テーブルを参照し、ステップＳ５４で、図２７（ａ）、（ｂ）に示すように、フォト撮影項目の設定画面を表示する。フォト撮影項目の設定画面では、まず、図２７（ａ）、（ｂ）に示すように、フレーム、撮影効果、マクロ設定、撮影ライト設定、セルフタイマー設定、ホワイトバランス、撮影モード、フォト画質設定、ＧＰＳ情報付加、フォト設定というように大項目が一覧表示される。図示の例では、一画面上に全ての設定項目を表示できないので、十字キーなどによるスクロール操作で、設定項目の一覧をスクロール表示するようになっている。上記設定画面では、アドレス帳からのカメラモード起動で選択不可の項目をグレー表示にする。図示の例では、フォト画質設定およびＧＰＳ情報付加がグレー表示される。
【００８１】
また、図２７（ａ）、（ｂ）に示す設定画面において、いずれかの項目が選択されると、その項目で設定可能な小項目の設定画面を表示する。図２７（ａ）〜（ｃ）に示す例では、大項目の設定画面から撮影モードの項目が選択された場合を示している。撮影モードが選択された場合には、図２７（ｃ）に示すように、アドレス帳からのカメラモード起動で選択不可の項目をグレー表示にして、小項目である撮影サイズの一覧を表示する。この例では、アドレス帳からのカメラモード起動であるので、ＶＧＡ（６４０×４８０）、ＳＸＧＡ（１２８０×９６０）、ＵＸＧＡ（１６００×１２００）、パノラマ（１２８０×３２０）がグレー表示される。
【００８２】
次に、ステップＳ５６で、いずれかの撮影項目が選択されたか否かを判断し、いずれの撮影項目も選択されない場合には、ステップＳ５４へ戻り、設定画面の表示を継続する。一方、設定画面においていずれかの撮影項目が選択されると、ステップＳ５７で、アドレス帳からのカメラモード起動で選択可能な項目であるか否かを判断する。ここで、選択不可の項目、例えば、フォト画質やＧＰＳ情報付加などのグレー表示された項目が選択された場合には、ステップＳ５６へ戻り、項目選択を継続し、選択操作を無視する。
【００８３】
一方、選択可能な項目が選択された場合には、ステップＳ５８で、設定された内容を設定する。例えば、撮影モードで、ケータイ（１２０×１６０）が選択された場合には、撮影サイズを、１２０×１６０ドットに設定する。同様に、壁紙（２４０×３２０）が選択された場合には、撮影サイズを、２４０×３２０ドットに設定する。次に、ステップＳ５９で、設定が終了したか否か、すなわち設定画面で「閉じる」が指示されたか否かを判断し、設定が終了していない場合には、ステップＳ５４へ戻り、フォト撮影項目の選択処理を継続する。一方、設定が終了すると、ステップＳ６０へ進む。
【００８４】
ステップＳ６０では、撮像部７１を起動し、メイン表示部２でモニタされている画像を逐次表示する。次に、ステップＳ６１で、撮影画像が確定されたか否か、すなわち決定キー４４（シャッターキー）が押下されたか否かし、決定キー４４が押下されていない場合には、ステップＳ６０へ戻り、モニタされている画像の逐次表示を継続する。
【００８５】
一方、決定キー４４が押下され、撮影画像が確定された場合には、ステップＳ６２で、この表示画像の画像データを画像処理部１８にて符号化圧縮処理し、画像メモリ１９に格納する。次に、ステップＳ６３で、上記画像メモリ１９に格納した確定画像を、アドレス帳に関連付ける。例えば、ユーザによって、確定画像を００１の田中麗さんのアドレス帳のエリアに関連付ける指示が決定キー４４の操作により行われると、ＣＰＵ１２は、図８に示したアドレス帳データ格納エリア１７２の００１の田中麗さんのアドレスデータエリアに画像表示のリンク“１”を立てる。さらに、ＣＰＵ１２は、図９に示したリンク情報格納エリア１７３に、アドレス帳データ格納エリア１７２の００１に対応させて、上記画像データが格納されている画像メモリ１０のレコード番号００１を登録すると共に、この画像データに基づく画像をメイン表示部２の編集画面に図７（ｇ）に示すようにを表示する。ＣＰＵ１２はステップＳ６４で、アドレス帳モードによる編集処理が終了したと判断するまで、ステップＳ５２に戻り、処理を継続する。
【００８６】
本第５実施形態によれば、メガピクセル対応のカメラ付携帯電話において、アドレス帳からのカメラモード起動では、携帯電話の通常表示サイズ用及び携帯電話の全画面表示サイズ用、すなわちアドレス帳に添付可能なケータイ（１２０×１６０）または壁紙（２４０×３２０）のみを、撮影サイズとして選択可能としたので、ユーザは撮影サイズで迷うことなく、撮影することができる。
【００８７】
Ｆ．第６実施形態
次に、本発明の第６実施形態について説明する。本第６実施形態では、ユーザにとってアドレス帳編集からのカメラモード起動で違和感を抱かせるようなユーザーインターフェースを持たせないように、アドレス帳編集からのカメラモード起動であっても、サブメニューで、全ての撮影サイズ（携帯電話の通常表示サイズ用（１２０×１６０ドット）〜ＵＸＧＡ（１６００×１２００ドット））を選択できるようにする。すなわち、アドレス帳に関連付けることができない画像サイズであってもグレー表示しない。また、ＶＧＡ以上を選択した場合には、撮影された画像よりＤＣＦ規格（Ｅｘｉｆ規格に準ずる）によって生成されたサムネイル画像（１２０×１６０ドット）のみをアドレス帳にリンクさせ、元画像データはデータフォルダを参照したときのみ参照できるようにしたことを特徴としている。
【００８８】
図２８は、本第６実施形態で画像ファイルとして用いるＥｘｉｆ規格に従った画像ファイルの構成を示す概念図である。Ｅｘｉｆ規格の画像ファイルは、Ｅｘｉｆ規格のファイルであることを識別するためのヘッダ、画像データに関する種々の情報を含むタグ情報とサムネイル画像データとからなる画像付加情報、および撮影したオリジナルの元画像データからなる。タグ情報には、画素数、圧縮モード、カメラの機種名、絞り値、シャッター速度、撮影日時、ユーザ情報といった各種情報が記録できるようになっている。Ｅｘｉｆ規格では、サムネイル画像データは１２０×１６０ドットのサイズとなっている。また、元画像データは、撮影時に設定されていた撮影サイズ（ケータイ：１２０×１６０、壁紙：２４０×３２０、ＶＧＡ：６４０×４８０、ＳＸＧＡ：１２８０×９６０、ＵＸＧＡ：１６００×１２００、パノラマ：１２８０×３２０）で保存されるようになっている。
【００８９】
次に、上述した第６実施形態の動作について説明する。ここで、図２９および図３０は、本第６実施形態の動作を説明するためのフローチャートである。ＣＰＵ１２は、ステップＳ７０で、カメラモードが起動されたか否かを判断し、カメラモードの起動でない場合にはステップＳ８９の他の処理に進み、一方、カメラモードの起動である場合にはステップＳ７１に進む。
【００９０】
ステップＳ７１では、カメラモードがアドレス帳からの起動である否かを判断し、アドレス帳からの起動でない場合（例えば待ち受け画面から起動された場合）には、ステップＳ９０へ進み、通常のカメラモードを実行する。
【００９１】
一方、アドレス帳からカメラモードが起動された場合には、ステップＳ７２へ進み、撮影項目の選択が指示されたか否かを判断し、撮影項目の選択が指示されない場合には、現在設定されている撮影モード（撮影サイズや機能）で撮影すべく、後述するステップＳ８０へ進む。
【００９２】
一方、撮影項目の選択が指示された場合には、ステップＳ７３へ進み、選択可能な撮影項目が明示されたカメラ制御処理テーブルを参照し、ステップＳ７４で、図２７（ａ）、（ｂ）に示すように、フォト撮影項目の設定画面を表示する。本第６実施形態では、全ての項目、すなわちフレーム、撮影効果、マクロ設定、撮影ライト設定、セルフタイマー設定、ホワイトバランス、撮影モード、フォト画質設定、ＧＰＳ情報付加、フォト設定というような大項目が選択可能になっている。
【００９３】
また、上記大項目の設定画面において、いずれかの項目が選択されると、その項目で設定可能な小項目の設定画面を表示する。この場合においても、本第６実施形態では、全ての小項目が選択可能になっている。例えば、大項目の設定画面から撮影モードの項目が選択された場合には、ケータイ（１２０×１６０）、壁紙（２４０×３２０）、ＶＧＡ（６４０×４８０）、ＳＸＧＡ（１２８０×９６０）、ＵＸＧＡ（１６００×１２００）、パノラマ（１２８０×３２０）が全て選択可能に表示される。
【００９４】
次に、ステップＳ７６で、いずれかの撮影項目が選択されたか否かを判断し、いずれの撮影項目も選択されない場合には、ステップＳ７４へ戻り、設定画面の表示を継続する。一方、設定画面においていずれかの撮影項目が選択されると、ステップＳ７８で、設定された内容を設定する。例えば、撮影モードで、ケータイ（１２０×１６０）が選択された場合には、撮影サイズを、１２０×１６０ドットに設定する。同様に、ＶＧＡ（６４０×４８０）が選択された場合には、撮影サイズを、６４０×４８０ドットに設定する。次に、ステップＳ７９で、設定が終了したか否か、すなわち設定画面で「閉じる」が指示されたか否かを判断し、設定が終了していない場合には、ステップＳ７４へ戻り、フォト撮影項目の選択処理を継続する。一方、設定が終了すると、ステップＳ８０へ進む。
【００９５】
ステップＳ８０では、撮像部７１を起動し、メイン表示部２でモニタされている画像を逐次表示する。次に、ステップＳ８１で、撮影画像が確定されたか否か、すなわち決定キー４４（シャッターキー）が押下されたか否かし、決定キー４４が押下されていない場合には、ステップＳ８０へ戻り、モニタされている画像の逐次表示を継続する。
【００９６】
一方、決定キー４４が押下され、撮影画像が確定された場合には、ステップＳ８２で、この表示画像の画像データを画像処理部１８にて符号化圧縮処理し、画像メモリ１９に一時的に格納する。次に、ステップＳ８３で、ＤＣＦ規格に従って、元画像データからサムネイル（１２０×１６０）を生成し、ステップＳ８４で、ＤＣＦ規格に従って、Ｅｘｉｆ規格のファイルであることを識別するためのヘッダ、画像データに関する種々の情報を含むタグ情報とサムネイル画像データとからなる画像付加情報、および撮影したオリジナルの元画像データからなるＥｘｉｆ規格の画像ファイルを生成し、画像メモリ１９に格納する。
【００９７】
次に、ＣＰＵ１２はステップＳ８５で、撮影した元画像データの画像サイズが、選択可能なサイズ、すなわちアドレス帳にリンク可能なサイズ（ケータイ：１２０×１６０ドット、または壁紙：２４０×３２０ドット）であるか否かを判断する。そして、元画像データの画像サイズがアドレス帳にリンク可能なサイズである場合には、ステップＳ８６で、１２０×１６０ドットまたは２４０×３２０ドットの元画像データを、アドレス帳に関連付ける。アドレス帳への関連付けについては、前述した第５実施形態と同じであるので説明を省略する。
【００９８】
一方、元画像データの画像サイズがアドレス帳にリンク不可能なサイズである場合、すなわち、画像サイズがＶＧＡ（６４０×４８０）、ＳＸＧＡ（１２８０×９６０）、ＵＸＧＡ（１６００×１２００）、パノラマ（１２８０×３２０）のいずれかである場合には、ステップＳ８７で、ステップＳ８３で生成したサムネイル（１２０×１６０）をアドレス帳に関連付ける。アドレス帳への関連付けについては、前述した第５実施形態と同じであるので説明を省略する。
【００９９】
そして、いずれの場合においても、ＣＰＵ１はステップＳ８８で、アドレス帳モードによる編集処理が終了したと判断するまで、ステップＳ７２に戻り、処理を継続する。
【０１００】
ここで、上述したアドレス帳へのサムネイル画像の関連付け（リンク）について説明する。アドレス帳へのサムネイル画像を関連付ける第１のリンク方法としては、ＤＣＦ規格に基づいて作成されたサムネイル画像をコピーし、そのコピーを別ファイルにしてアドレス帳の編集中のレコードにリンクさせる。この場合、装飾加工等をアドレス帳編集時に行っても、本画像ファイルには影響しないという利点がある。また、違う装飾を施して登録したい場合には、既に記憶された画像ファイルのサムネイル画像をコピーすればよいので二度撮影する手間を省けるという利点がある。
【０１０１】
また、第２のリンク方法としては、ＤＣＦ規格に基づいて作成された画像ファイルにおけるサムネイル画像の記憶開始アドレスをリンクさせる。この場合、不用意に画像ファイルを増やさずに済むという利点がある。どちらのリンク方法を採用するかは、設計時に適宜選択してもよいし、あるいは双方のリンク方法を実現する手段を搭載しておき、ユーザによりどちらを使用するかを設定させるようにしてもよい。
【０１０２】
本第６実施形態によれば、メガピクセル対応のカメラ付携帯電話において、ユーザにとってアドレス帳編集からのカメラモード起動で違和感を持たせることなく、任意の撮影サイズを選択して撮影しても、自動的に、アドレス帳に関連付け可能な画像サイズ（サムネイル画像）の画像データを関連付けることができる。
【０１０３】
尚、上記した各実施の形態の動作をプログラム化し、コンピュータに実行させることで実施できる。その際、コンピュータプログラムはフロッピー（登録商標）ディスクやハードディスク等のディスク型記録媒体、半導体メモリやカード型メモリ等の各種メモリ或いは、通信ネットワーク等の各種プログラム記録媒体を通じてコンピュータに供給することができる。
【０１０４】
また、本発明は上記実施の形態に限定されることなく、その要旨を逸脱しない範囲において、具体的な構成、機能、作用、効果において、他の種々の形態によっても実施することができ、撮影機能を有するＰＤＡや携帯型のパソコン等の各種携帯通信端末に本発明を適用して同様の効果を得ることができる。
【図面の簡単な説明】
【０１０５】
【図１】本発明の第１の実施の形態に係る携帯電話端末の外観図であり、（ａ）は開状態正面図、（ｂ）は開状態背面図である。
【図２】（ａ）、（ｂ）は本発明の第１の実施の形態に係る携帯電話端末のメイン表示部の表示レイアウトをそれぞれ示す図である。
【図３】本発明の第１の実施の形態に係る携帯電話端末の構成例を示したブロック図である。
【図４】図２に示したＲＡＭの構成例を示した模式図である。
【図５】図２に示した画像メモリの構成例を示した模式図である。
【図６】第１の実施の形態に係る携帯電話端末のアドレス帳データに画像データを関連付け登録する動作手順を示したフローチャートである。
【図７】第１の実施の形態に係る携帯電話端末のアドレス帳に関連付け画像を登録する際に表示される画面例を示した図である。
【図８】図１に示したＲＡＭ内に設定されるアドレス帳データ格納エリアの構成を示した模式図である。
【図９】図１に示したＲＡＭ内に設定されるリンク情報格納エリアの構成を示した模式図である。
【図１０】第１の実施の形態に係る携帯電話端末のアドレス帳データに複数の画像データを一括して関連付け登録する際に表示される画面例を示した図である。
【図１１】第１の実施の形態に係る携帯電話端末のアドレス帳データに関連付け登録する画像データの加工例を示した図である。
【図１２】第１の実施の形態に係る携帯電話端末のアドレス帳データに関連付け登録する画像データの合成例を示した図である。
【図１３】第１の実施の形態に係る携帯電話端末のアドレス帳に関連付け登録された画像データのトリミング例を示した図である。
【図１４】第１の実施の形態に係る携帯電話端末のアドレス帳データに関連付け登録された画像データの拡大、縮小例を示した図である。
【図１５】本発明の第２の実施の形態に係る携帯電話端末のアドレス帳データの閲覧動作を示したフローチャートである。
【図１６】第２の実施の形態に係る携帯電話端末のアドレス帳データに関連付け登録されている画像メモリ内の複数の画像データ例を示した図である。
【図１７】図１５に示した複数の画像データをアニメーション表示した際の画面例を示した図である。
【図１８】図１５に示した複数の画像データをスライド表示した際の画面例を示した図である。
【図１９】本発明の第３の実施の形態に係る携帯電話端末の構成例を示したブロック図である。
【図２０】第３の実施の形態に係る携帯電話端末のアドレス帳データに関連付け登録されている画像データの背景を加工する動作手順を示したフローチャートである。
【図２１】第３の実施の形態に係る携帯電話端末のアドレス帳データに関連付け登録されている画像データの背景を加工する際に表示される画面例を示した図である。
【図２２】本発明の第４の実施の形態に係る携帯電話端末の画像認識部の保持内容例を示した図である。
【図２３】第４の実施の形態に係る携帯電話端末のアドレス帳データに関連付け登録されている画像データに含まれる人物と同一人物を検索する手順を示したフローチャートである。
【図２４】第４の実施の形態に係る携帯電話端末のアドレス帳データに関連付け登録されている画像データに含まれる人物と同一人物を検索する際に表示される画面例を示した図である。
【図２５】第５実施形態において、ＲＯＭ１６に格納される通常のカメラモードとアドレス帳からのカメラモードでの選択可能な撮影サイズの違いを示すテーブルデータを示すものである。
【図２６】本第５実施形態によるカメラ付携帯電話の動作を説明するためのフローチャートである。
【図２７】本第５実施形態のカメラモードでのサブメニューの表示例を示す模式図である。
【図２８】第６実施形態で画像ファイルとして用いるＥｘｉｆ規格に従った画像ファイルの構成を示す概念図である。
【図２９】本第６実施形態の動作を説明するためのフローチャートである。
【図３０】本第６実施形態の動作を説明するためのフローチャートである。
【符号の説明】
【０１０６】
２  メイン表示部（表示手段）
４  操作部
７  撮像レンズ（撮像手段、連続撮影手段）
８  ＬＥＤ（着信報知手段）
９  報知スピーカ（着信報知手段）
１０  無線処理部（通信手段）
１１  復調・変調部（通信手段）
１２  ＣＰＵ（報知設定手段、設定手段）
１３  報知処理部（着信報知手段）
１４  ドライバ（着信報知手段）
１６  ＲＯＭ（設定情報記憶手段）
１７  ＲＡＭ
１８  画像処理部（画像加工手段、複写手段）
１９  画像メモリ（画像記憶手段）
２０  バイブレータ（着信報知手段）
２１  ドライバ（解像度設定手段）
２２  画像認識部（画像認識手段）
４１  カメラキー
４２  アドレス帳キー（指示手段）
４３  十字キー（選択手段、撮影サイズ選択手段）
４４  決定キー（選択手段、撮影サイズ選択手段）
７１  撮像部（撮像手段）
１００  携帯電話端末（通信機能付撮像装置）
１７２  アドレス帳データ格納エリア（アドレス帳格納手段）
１７３  リンク情報格納エリア
【図１】
2008182764.tif 000003
【図２】
2008182764.tif 000004
【図３】
2008182764.tif 000005
【図４】
2008182764.tif 000006
【図５】
2008182764.tif 000007
【図６】
2008182764.tif 000008
【図７】
2008182764.tif 000009
【図８】
2008182764.tif 000010
【図９】
2008182764.tif 000011
【図１０】
2008182764.tif 000012
【図１１】
2008182764.tif 000013
【図１２】
2008182764.tif 000014
【図１３】
2008182764.tif 000015
【図１４】
2008182764.tif 000016
【図１５】
2008182764.tif 000017
【図１６】
2008182764.tif 000018
【図１７】
2008182764.tif 000019
【図１８】
2008182764.tif 000020
【図１９】
2008182764.tif 000021
【図２０】
2008182764.tif 000022
【図２１】
2008182764.tif 000023
【図２２】
2008182764.tif 000024
【図２３】
2008182764.tif 000025
【図２４】
2008182764.tif 000026
【図２５】
2008182764.tif 000027
【図２６】
2008182764.tif 000028
【図２７】
2008182764.tif 000029
【図２８】
2008182764.tif 000030
【図２９】
2008182764.tif 000031
【図３０】
2008182764.tif 000032